(57)【特許請求の範囲】
【請求項１】
ケース本体の外周から相対向する方向に延びた一対のバンド取付部にそれぞれ形成された挿通孔内に挿通された帯状の第１バンドと、
この第１バンドに重なり合って前記帯状の第１バンドの下側に配置された帯状の第２バンドと、
前記ケース本体のうち、前記一対のバンド取付部の間において前記第１、第２バンドの対向面に設けられて互いに係脱可能に係合し、かつ前記第１、第２バンドを重ね合わせた状態で連結する一対の面状ファスナからなる連結部材と
を備えたことを特徴とするバンド。
【請求項２】
ケース本体の外周から相対向する方向に延びた一対のバンド取付部にそれぞれ形成された挿通孔内に挿通された帯状の第１バンドと、
この第１バンドに重なり合って前記帯状の第１バンドの下側に配置された帯状の第２バンドと、
前記ケース本体のうち、前記一対のバンド取付部の間において前記第２バンドに固定されて前記第１バンドが挿通し、かつ前記第１、第２バンドを重ね合わせた状態で連結する袋状の連結部材と
を備えたことを特徴とするバンド。
【請求項３】
前記第１、第２バンドの長手方向の両端部のうち、少なくとも一方の端部側には、前記第１、第２バンドの各端部が互いに重なり合った状態で移動可能に挿入する遊環が設けられていることを特徴とする請求項１または２に記載のバンド。
【請求項４】
前記遊環に挿入した前記第１バンドの端部は前記遊環で折り返され、この折り返された部分と前記第１バンドの前記端部とは補助係止部材によって仮固定されていることを特徴とする請求項３に記載のバンド。
【請求項５】
前記第１バンドは非伸縮性部材で形成されており、前記第２バンドは伸縮性部材で形成されていることを特徴とする請求項１〜４のいずれかに記載のバンド。
【請求項６】
ケース本体と、このケース本体を保持するバンドとを備えており、
前記バンドは、
前記ケース本体の外周から相対向する方向に延びた一対のバンド取付部にそれぞれ形成された挿通孔内に挿通された帯状の第１バンドと、
この第１バンドに重なり合って前記帯状の第１バンドの下側に配置された帯状の第２バンドと、
前記ケース本体のうち、前記一対のバンド取付部の間において前記第１、第２バンドの対向面に設けられて互いに係脱可能に係合し、かつ前記第１、第２バンドを重ね合わせた状態で連結する一対の面状ファスナからなる連結部材と
を備えたことを特徴とするリスト装置。
【請求項７】
ケース本体と、このケース本体を保持するバンドとを備えており、
前記バンドは、
前記ケース本体の外周から相対向する方向に延びた一対のバンド取付部にそれぞれ形成された挿通孔内に挿通された帯状の第１バンドと、
この第１バンドに重なり合って前記帯状の第１バンドの下側に配置された帯状の第２バンドと、
前記ケース本体のうち、前記一対のバンド取付部の間において前記第２バンドに固定されて前記第１バンドが挿通し、かつ前記第１、第２バンドを重ね合わせた状態で連結する袋状の連結部材と
を備えたことを特徴とするリスト装置。
【請求項８】
前記第１、第２バンドの長手方向の両端部のうち、少なくとも一方の端部側には、前記第１、第２バンドの各端部が互いに重なり合った状態で移動可能に挿入する遊環が設けられていることを特徴とする請求項６または７に記載のリスト装置。
【請求項９】
前記遊環に挿入した前記第１バンドの端部は前記遊環で折り返され、この折り返された部分と前記第１バンドの前記端部とは補助係止部材によって仮固定されていることを特徴とする請求項８に記載のリスト装置。
【請求項１０】
前記第１バンドは非伸縮性部材で形成されており、前記第２バンドは伸縮性部材で形成されていることを特徴とする請求項６〜９のいずれかに記載のリスト装置。
【発明の詳細な説明】
【０００１】
【発明の属する技術分野】
この発明は時計バンドなどに適用して有用なバンドおよび腕時計などのリスト装置に関する。
【０００２】
【従来の技術】
従来、腕時計ケースに取り付けられる時計バンドには、図２４に示すような構造のものがある。すなわち、この時計バンドＴは、伸縮自在なゴム製のバンド本体１を有し、このバンド本体１の一端部に雌バックル２が取り付けられ、他端部に雄バックル３が取外し可能に取り付けられ、この雄バックル３をバンド本体１から取り外した状態で、腕時計ケース４に取り付けられた２つのバンド取付部５の各挿通孔６にバンド本体１を挿通させることにより、バンド本体１に腕時計ケース４を取り付け、この後、バンド本体１の他端部に雄バックル３を取り付けるように構成されている。
【０００３】
この場合、雌バックル２は、バンド本体１の一端部が挿入する取付孔２ａを有し、この取付孔２ａにバンド本体１の一端部が挿入して折り返され、この折り返されて重なり合う部分同士が固定されることにより、バンド本体１の一端部に取り付けられている。また、雄バックル３は、バンド本体１の他端部が挿入する２つの取付孔３ａ、３ｂを有し、バンド本体１の他端部を一方の取付孔３ａに挿入した上、更にその先端部を他方の取付孔３ｂに挿入して折り返すことにより、バンド本体１の他端部に着脱可能に取り付けられている。なお、腕時計ケース４は、その上面に時計ガラス７が装着され、下面に裏蓋８が取り付けられ、内部に時計モジュール９が収納された構成になっている。
【０００４】
【発明が解決しようとする課題】
しかしながら、このような時計バンドＴでは、バンド本体１の他端部から雄バックル３を取り外さなければ、腕時計ケース４をバンド本体１から取り外すことができず、しかも別のバンド本体１に腕時計ケース４を取り付けた後に、バンド本体１の端部に雄バックル３を取り付けなければならないため、バンド本体１の交換が面倒で、手間がかかり、簡単かつ速やかにバンド本体１を交換することができないという不都合がある。
【０００５】
この発明の課題は、簡単かつ速やかに、バンドの交換できるようにすることである。
また、この発明の課題は、二つのバンドのうちの一方が伸縮性部材で形成され、他方のバンドが非伸縮性部材で形成されていても、これら二つのバンドの伸縮状態を、確実に調整することができるようにすることである。
【０００６】
【課題を解決するための手段】
この発明は、このような課題を解決するために、次のような構成を備えている。なお、各構成要素には、後述する各実施形態の項で説明される各要素に付されている図面の参照番号等を括弧と共に付す。
請求項１記載の発明は、ケース本体（腕時計ケース４）の外周から相対向する方向に延びた一対のバンド取付部（５、５）にそれぞれ形成された挿通孔（６）内に挿通された帯状の第１バンド（１０）と、この第１バンドに重なり合って前記帯状の第１バンドの下側に配置された帯状の第２バンド（１１）と、前記ケース本体のうち、前記一対のバンド取付部の間において前記第１、第２バンドの対向面に設けられて互いに係脱可能に係合し、かつ前記第１、第２バンドを重ね合わせた状態で連結する一対の面状ファスナからなる連結部材（第１係止部材１３）とを備えたことを特徴とするバンドである。
この発明によれば、ケース本体の一対のバンド取付部にそれぞれ形成された挿通孔に第１バンドを挿通させ、この第１バンドと第２バンドとを一対のバンド取付部部の間において重ね合わせた状態で一対の面状ファスナからなる連結部材によって係脱可能に連結しているので、第１、第２バンドの連結を簡単に解除することができる。これにより、重なり合った第１バンドと第２バンドとの連結を解除すると、第１バンドに取り付けられたケース本体を容易に取り外したり、またケース本体を容易に取り付けたりすることができるので、簡単にかつ速やかにバンドを交換することができる。
また、請求項２に記載の発明は、ケース本体（腕時計ケース４）の外周から相対向する方向に延びた一対のバンド取付部（５、５）にそれぞれ形成された挿通孔（６）内に挿通された帯状の第１バンド（１０）と、この第１バンドに重なり合って前記帯状の第１バンドの下側に配置された帯状の第２バンド（１１）と、前記ケース本体のうち、前記一対のバンド取付部の間において前記第２バンドに固定されて前記第１バンドが挿通し、かつ前記第１、第２バンドを重ね合わせた状態で連結する袋状の連結部材（袋状部材２７）とを備えたことを特徴とするバンドである。
この発明によれば、第１バンドをケース本体の一対のバンド取付部にそれぞれ形成された挿通孔に挿通するときに、一対のバンド取付部の間において第１バンドを第２バンドに固定された袋状の連結部材に挿通させることにより、第１、第２バンドを重ね合わせた状態で連結することができ、また第１バンドを第２バンドの連結部材から抜き出すことにより、第１、第２バンドの連結を解除することができる。これにより、重なり合った第１バンドと第２バンドとの連結を解除すると、第１バンドに取り付けられたケース本体を容易に取り外したり、またケース本体を容易に取り付けたりすることができるので、簡単にかつ速やかにバンドを交換することができる。
この場合、請求項３に記載の発明によれば、第１、第２バンドの長手方向の両端部のうち、少なくとも一方の端部側に、第１、第２バンドの各端部が互いに重なり合った状態で移動可能に挿入する遊環（１２）が設けられていることにより、簡単な構造で第１バンドの端部を第２バンドに対して固定することができ、これにより第１バンドの端部の遊びを軽減することができる。
また、請求項４に記載の発明によれば、遊環に挿入した第１バンドの端部が遊環で折り返され、この折り返された部分と第１バンドの端部とが補助係止部材（第２係止部材１４）によって仮固定されていることにより、遊環で折り返された第１バンドの先端部を確実に固定することができ、これにより遊環で折り返された第１バンドの先端部がぶら下がって遊ばないようにすることができる。
さらに、請求項５に記載の発明によれば、第１バンドが非伸縮性部材で形成され、第２バンドが伸縮性部材で形成されていることにより、遊環を通して第２バンドを自由に伸縮させることができ、これにより腕などに良好に装着することができる。
【０００７】
請求項６に記載の発明は、ケース本体（腕時計ケース４）と、このケース本体を保持するバンドとを備え、前記バンドは、前記ケース本体の外周から相対向する方向に延びた一対のバンド取付部（５、５）にそれぞれ形成された挿通孔（６）内に挿通された帯状の第１バンド（１０）と、この第１バンドに重なり合って前記帯状の第１バンドの下側に配置された帯状の第２バンド（１１）と、前記ケース本体のうち、前記一対のバンド取付部の間において前記第１、第２バンドの対向面に設けられて互いに係脱可能に係合し、かつ前記第１、第２バンドを重ね合わせた状態で連結する一対の面状ファスナからなる連結部材（第１係止部材１３）とを備えたことを特徴とするリスト装置である。
この発明によれば、ケース本体の一対のバンド取付部にそれぞれ形成された挿通孔に第１バンドを挿通させ、この第１バンドと第２バンドとを一対のバンド取付部部の間において重ね合わせた状態で一対の面状ファスナからなる連結部材によって係脱可能に連結しているので、第１、第２バンドの連結を簡単に解除することができる。これにより、重なり合った第１バンドと第２バンドとの連結を解除すると、第１バンドに取り付けられたケース本体を容易に取り外したり、またケース本体を容易に取り付けたりすることができるので、簡単にかつ速やかにバンドを交換することができる。
また、請求項７に記載の発明は、ケース本体（腕時計ケース４）と、このケース本体を保持するバンドとを備え、前記バンドは、前記ケース本体の外周から相対向する方向に延びた一対のバンド取付部（５、５）にそれぞれ形成された挿通孔（６）内に挿通された帯状の第１バンド（１０）と、この第１バンドに重なり合って前記帯状の第１バンドの下側に配置された帯状の第２バンド（１１）と、前記ケース本体のうち、前記一対のバンド取付部の間において前記第２バンドに固定されて前記第１バンドが挿通し、かつ前記第１、第２バンドを重ね合わせた状態で連結する袋状の連結部材（袋状部材２７）とを備えたことを特徴とするリスト装置である。
この発明によれば、第１バンドをケース本体の一対のバンド取付部にそれぞれ形成された挿通孔に挿通するときに、一対のバンド取付部の間において第１バンドを第２バンドに固定された袋状の連結部材に挿通させることにより、第１、第２バンドを重ね合わせた状態で連結することができ、また第１バンドを第２バンドの連結部材から抜き出すことにより、第１、第２バンドの連結を解除することができる。これにより、重なり合った第１バンドと第２バンドとの連結を解除すると、第１バンドに取り付けられたケース本体を容易に取り外したり、またケース本体を容易に取り付けたりすることができるので、簡単にかつ速やかにバンドを交換することができる。
この場合、請求項８に記載の発明によれば、第１、第２バンドの長手方向の両端部のうち、少なくとも一方の端部側に、第１、第２バンドの各端部が互いに重なり合った状態で移動可能に挿入する遊環（１２）が設けられていることにより、簡単な構造で第１バンドの端部を第２バンドに対して固定することができ、これにより第１バンドの端部の遊びを軽減することができる。
また、請求項９に記載の発明によれば、遊環に挿入した第１バンドの端部が遊環で折り返され、この折り返された部分と第１バンドの端部とが補助係止部材（第２係止部材１４）によって仮固定されていることにより、遊環で折り返された第１バンドの先端部を確実に固定することができ、これにより遊環で折り返された第１バンドの先端部がぶら下がって遊ばないようにすることができる。さらに、請求項１０に記載の発明によれば、第１バンドが非伸縮性部材で形成され、第２バンドが伸縮性部材で形成されていることにより、遊環を通して第２バンドを自由に伸縮させることができ、これにより腕などに良好に装着することができる。
【０００８】
【発明の実施の形態】
［第１実施形態］
以下、図１を参照して、この発明を時計バンドに適用した第１実施形態について説明する。なお、図２４に示された従来例と同一部分には同一符号を付し、その説明は省略する。
図１に示された時計バンドＴは、腕時計ケース４が取り付けられる第１バンド１０と、この第１バンド１０が重ね合わされて取り付けられる第２バンド１１と、第１バンド１０の一端部（同図では右端部１０ａ）を第２バンド１１に着脱可能に取り付けられる連結部材である遊環１２とを備えている。
【０００９】
第１バンド１０は、伸縮しにくい布製のバンドであり、腕時計ケース４に取り付けられた２つのバンド取付部５の各挿通孔６に挿通することにより、腕時計ケース４が取り付けられた構成になっている。この場合、第１バンド１０はその長さが第２バンド１１の長さよりも短く形成されており、その一端部（図１では右端部１０ａ）は第２バンド１１と共に遊環１２に重なり合って挿入し、他端部（同図では左端部１０ｂ）は第２バンド１１上に縫合などにより固定されている。第２バンド１１は、従来例と同様、伸縮性のあるゴム製のバンドであり、その一端部（同図では右端部１１ａ）に雄バックル３が着脱可能に取り付けられ、他端部（同図では左端部１１ｂ）に雌バックル２が取り付けられた構成になっている。
遊環１２は、長円形状のリングであり、第１バンド１０の右端部１０ａと、雄バックル３が着脱可能に取り付けられる第２バンド１１の右側とが重なり合って挿入することにより、第１バンド１０の右端部１０ａを第２バンド１１に着脱可能に取り付けるように構成されている。
【００１０】
そして、腕時計ケース４に対応する個所における第１バンド１０と第２バンド１１との対向面には、互いに係脱可能に係合して第１バンド１０と第２バンド１１とを互いに連結して固定するための連結部材である第１係止部材１３が設けられている。この第１係止部材１３は、対向面が互いに係脱可能に平面的に密着して係合する一対の面状ファスナ（商標：マジックテープ）で構成されている。
また、第１バンド１０のうち、遊環１２内に挿入される右端部１０ａは、この遊環１２を包んで内側に折り返され、この折り返された右端部１０ａが第１バンド１０と第２バンド１１との間に重なり合って配置されるようになっている。この第１バンド１０の折り返されて重なり合う部分の対向面には、互いに係脱可能に係合して第１バンド１０の重なり合う部分同士を固定するための補助係止部材である第２係止部材１４が設けられている。この第２係止部材１４も、第１係止部材１３と同様、対向面が互いに係脱可能に平面的に密着して係合する一対の面状ファスナで構成されている。
【００１１】
次に、このような時計バンドＴを交換する場合について説明する。
まず、時計バンドＴを腕時計ケース４から取り外す場合には、第１バンド１０の右端部１０ａにおける互いに重なり合う部分を引き離して、第２係止部材１４による係合を解除する。そして、係合が解除された第１バンド１０の重なり合う部分のうち、遊環１２を包んで遊環１２に挿入された部分を遊環１２から引き出する。これにより、第１バンド１０の右端部１０ａが第２バンド１１から取り外されて自由状態となる。
この後、腕時計ケース４に対応する個所の第１バンド１０と第２バンド１１との間の第１係止部材１３による係合状態を解除すると、第１バンド１０と第２バンド１１とが引き離されることとなるので、各バンド１０、１１に対する腕時計ケース４の固定が解除される。この状態で、第１バンド１０の右端部１０ａを腕時計ケース４の２つのバンド取付部５の各挿通孔６から引き出す。
これにより、腕時計ケース４を第１バンド１０から簡単に取り外すことができる。
【００１２】
また、逆に、このような時計バンドＴに腕時計ケース４を取り付ける場合には、第１バンド１０の右端部１０ａを腕時計ケース４の２つのバンド取付部５の各挿通孔６に順次挿入し、この挿入した第１バンド１０の右端部１０ａを遊環１２で折り返して遊環１２を包むように遊環１２に挿入し、この折り返された部分を第１バンド１０と第２バンド１１との間に重ね合わせ、この状態で重ね合わされた部分を第２係止部材１４によって固定するとともに、腕時計ケース４に対応する個所の第１バンド１０と第２バンド１１とを第１係止部材１３によって固定する。これにより、腕時計ケース４が時計バンドＴに簡単に取り付けられる。
【００１３】
このように、この時計バンドＴによれば、遊環１２に遊挿された第１バンド１０の右端部１０ａを遊環１２から引き出すことにより、第１バンド１０の右端部１０ａを第２バンド１１から取り外すことができるので、従来のように雄バックル３を取り外さなくても、腕時計ケース４を第１バンド１０から簡単に取り外すことができる。一方、第１バンド１０の右端部１０ａを遊環１２で折り返して遊環１２を包むように遊環１２に挿入することにより、第１バンド１０の右端部１０ａを第２バンド１１に簡単に取り付けることができる。このため、簡単かつ速やかに、時計バンドＴを時計ケース４に対し交換可能とすることができる。
【００１４】
この場合、腕時計ケース４に対応する個所の第１バンド１０と第２バンド１１との対向面を第１係止部材１３によって相互に固定することができるので、腕時計ケース４がずれないように腕時計ケース４を第１バンド１０に固定することができる。
また、遊環１２に挿入する第１バンド１０の右端部１０ａが遊環１２を包んで第１バンド１０と第２バンド１１との間に折り返され、この折り返されて重なり合う部分の対向面を第２係止部材１４によって相互に固定することができるので、この第２係止部材１４によって第１バンド１０の右端部１０ａを第２バンド１１に確実かつ強固に取り付けることができ、これにより腕時計ケース４を第１バンド１０に確実に取り付けることができる。
さらに、第２バンド１１は、ゴムが織り込まれていて伸縮性をもつものであり、かつ、この第２バンド１１が第１バンド１０の右端部１０ａと重なって遊環１２に挿入されているので、第１バンド１０が伸縮しにくい布製であっても、この第２バンド１１が遊環１２を通して自由に伸縮させることができ、このために、時計バンドＴ全体を、腕などに良好に装着することができる。
【００１５】
［第２実施形態］
次に、図２を参照して、この発明を時計バンドに適用した第２実施形態について説明する。この場合には、図１に示された第１実施形態と同一部分には同一符号を付し、その説明は省略する。
この時計バンドＴは、第１バンド１０の両端部１０ａ、１０ｂをそれぞれ遊環１２によって第２バンド１１に取り付けた構造になっている。
すなわち、第２バンド１１の一端部側（図２では右端部１１ａ側）と他端部側（同図では左端部１１ｂ側）には、それぞれ遊環１２が挿入して配置されている。そして、腕時計ケース４が取り付けられた第１バンド１０の一端部（同図では右端部１０ａ）は、第１実施形態と同様、右側の遊環１２を包んで折り返されて、第１バンド１０と第２バンド１１との間に重なり合って配置される。また、第１バンド１０の他端部（同図では左端部１０ｂ）は、左側の遊環１２を包んで折り返されて、第１バンド１０と第２バンド１１との間に重なり合って配置される。
【００１６】
この場合、第１バンド１０の両側における折り返されて重なり合う部分の対向面には、互いに係脱可能に係合して第１バンド１０の重なり合う部分同士を固定する第２係止部材１４がそれぞれ設けられている。
また、腕時計ケース４に対応する個所における第１バンド１０と第２バンド１１との対向面には、互いに係脱可能に係合して第１バンド１０と第２バンドとを固定する第１係止部材１５が設けられている。この第１係止部材１５は、腕時計ケース４に対応する個所の第１バンド１０と第２バンド１１との対向面のうち、第１バンド１０の対向面に雄型の面状ファスナ１５ａが設けられ、これに対向する第２バンド１１の対向面側のほぼ全域がパイル地１５ｂに形成され、この第２バンド１１のパイル地１５ｂに第１バンド１０の雄型の面状ファスナ１５ａが係脱可能に係合して、第１バンド１０と第２バンドとを固定する構造になっている。
【００１７】
このような時計バンドＴでは、第１バンド１０の左右の両端部１０ａ、１０ｂのうち、何れか一方の端部、例えば右端部１０ａを遊環１２から引き出せば、第１実施形態と同様、第１バンド１０の右端部１０ａを第２バンド１１から取り外すことができ、これにより腕時計ケース４を第１バンド１０から簡単に取り外すことができる。また、腕時計ケース４を時計バンドＴに取り付ける際には、第２バンド１１から取り外された第１バンド１０の一方の端部、例えば右端部１０ａを遊環１２で折り返して遊環１２に挿入することにより、第１バンド１０の右端部１０ａを第２バンド１１に簡単に取り付けることができ、これにより簡単かつ速やかに時計バンドＴを交換することができる。
【００１８】
この場合にも、第１バンド１０の左右の両端部１０ａ、１０ｂがそれぞれ遊環１２を包んで折り返され、この折り返されて重なり合う部分をそれぞれ第２係止部材１４によって固定するので、各第２係止部材１４によって第１バンド１０の両端部１０ａ、１０ｂを第２バンド１１に確実かつ強固に取り付けることができ、これにより腕時計ケース４を第１バンド１０に確実に取り付けることができる。また、第１バンド１０の左右の両端部１０ａ、１０ｂがそれぞれ第２バンド１１と重なり合って遊環１２に挿入されて第２バンド１１に取り付けられているので、第１実施形態のものよりも第２バンド１１が更に自由に伸縮でき、より一層良好に時計バンドＴを腕に装着することができる。
【００１９】
また、この時計バンドＴでは、第１バンド１０の左右の両端部１０ａ、１０ｂがそれぞれ遊環１２によって第２バンド１１に着脱可能に取り付けられるので、第１バンド１０の両端部１０ａ、１０ｂをそれぞれ遊環１２から引き出せば、第１バンド１０を第２バンド１１から完全に取り外すことができるので、第１バンド１０と第２バンド１１とを交換することができ、時計バンドＴとしての組み合わせが豊富になる。
さらに、この時計バンドＴでは、腕時計ケース４に対応する個所の第１バンド１０と第２バンド１１とを固定する第１係止部材１５が、第１バンド１０の対向面に設けられた雄型の面状ファスナ１５ａと、これに対向する第２バンド１１の対向面側のほぼ全域がパイル地１５ｂに形成されているので、第２バンド１１のパイル地１５ｂに対する第１バンド１０の面状ファスナ１５ａの係合位置を調節することができ、これにより第１バンド１０における腕時計ケース４の取付位置を調節でき、最も適した位置に腕時計ケース４を取り付けることができる。
【００２０】
［第３実施形態］
次に、図３を参照して、この発明を時計バンドに適用した第３実施形態について説明する。この場合にも、図１に示された第１実施形態と同一部分には同一符号を付し、その説明は省略する。
この時計バンドＴは、第１バンド１０の一端部、例えば右端部１０ａの折り返し方向が異なる以外は、第１実施形態と同じ構造になっている。
すなわち、第１バンド１０の右端部１０ａは、第２バンド１１の右端部１１ａ側に遊挿された遊環１２に重なり合って挿入された上、この遊環１２を包むように上側に折り返されて、第１バンド１０上に重なって配置されている。この場合、第１バンド１０の折り返されて重なり合う部分の対向面には、互いに係脱可能に係合して第１バンド１０の重なり合う部分同士を固定する第２係止部材１６がそれぞれ設けられている。この第２係止部材１６も、第１実施形態と同様、対向面が互いに係脱可能に平面的に密着して係合する一対の面状ファスナで構成されている。
【００２１】
このような時計バンドＴでは、第１実施形態と同様の作用効果があるほか、特に第１バンド１０の右端部１０ａを遊環１２に挿入してから折り返すので、第１バンド１０の右端部１０ａの取付が第１実施形態のものよりも簡単にでき、しかも折り返されて重なり合った部分同士を引き離して第２係止部材１６による係合を解除する際、重なり合った部分のうち、上側の部分を引き上げれば良いので、第１実施形態のものよりも、容易に引き離すことができるとともに、第２バンド１１から簡単に取り外すことができる。
【００２２】
［第４実施形態］
次に、図４を参照して、この発明を時計バンドに適用した第４実施形態について説明する。この場合には、図３に示された第３実施形態と同一部分に同一符号を付し、その説明は省略する。
この時計バンドＴは、遊環１７の形状が異なる以外は第３実施形態と同じ構造になっている。
すなわち、この時計バンドＴの遊環１７は、その内部に、第１バンド１０と第２バンド１１とが重なり合って挿入されるとともに、雄バックル３が取り付けられる第２バンド１１の一端部（図４では右端部）１１ａの折り返された先端部１１ｃが更に重なり合って挿入される構造になっている。
【００２３】
このような時計バンドＴでは、第３実施形態と同様の作用効果があるほか、特に第１バンド１０と第２バンド１１とが重なって挿入した遊環１７に、第２バンド１１の右端部１１ａの折り返された先端部１１ｃが更に重なり合って挿入されるので、第２バンド１１の右端部１１ａの折り返された先端部１１ｃがぶら下がって遊ばないように固定することができ、使い勝手の良いものを得ることができる。
【００２４】
［第５実施形態］
次に、図５を参照して、この発明を時計バンドに適用した第５実施形態について説明する。この場合にも、図３に示された第３実施形態と同一部分には同一符号を付し、その説明は省略する。
この時計バンドＴは、第２バンド１１に、遊環１２とは別の遊環１８を挿入させた以外は、第３実施形態と同じ構造になっている。
すなわち、この時計バンドＴは、第２バンド１１の一端部側（図５では右端部１１ａ側）に遊環１２を挿入するとともに、この遊環１２の更に右側に別の遊環１８を挿入し、遊環１２で第１バンド１０の右端部１０ａを第２バンド１１に取り付け、その右側の別の遊環１８に、雄バックル３が取り付けられる第２バンド１１の右端部１１ａの折り返された先端部１１ｃを挿入させることにより、この別の遊環１８で第２バンド１１の先端部１１ｃを固定するように構成されている。
【００２５】
このような時計バンドＴでも、第３実施形態と同様の作用効果があるほか、特に別の遊環１８によって第２バンド１１の右端部１１ａの折り返された先端部１１ｃを固定することができるので、第４実施形態と同様、第２バンド１１の右端部１１ａの折り返された先端部１１ｃがぶら下がって遊ばないように固定することができ、使い勝手の良いものを得ることができる。
【００２６】
なお、上記第４および第５実施形態では、第１バンド１０の右端部１０ａを遊環１７、１２に挿入させてから折り返すようにしたが、これに限らず、例えば第１実施形態のように、第１バンド１０の右端部１０ａを遊環１７、１２の上方で折り返してから遊環１７、１２に挿入するようにしても良い。この場合にも、折り返されて重なり合う部分の対向面には、第１実施形態と同様、第２係止部材１４を設けておくことが望ましい。
【００２７】
［第６実施形態］
次に、図６および図７を参照して、この発明を時計バンドに適用した第６実施形態について説明する。この場合には、図１に示された第１実施形態と同一部分に同一符号を付し、その説明は省略する。
この時計バンドＴは、遊環２０の形状が異なる以外は第１実施形態と同じ構造になっている。
すなわち、この時計バンドＴの遊環２０は、図６に示すように、第１バンド１０の右端部１０ａを第２バンド１１の右側に着脱可能に取り付けるためのものであり、図７に示すように、第１挿入孔２１および第２挿入孔２２を有するほぼ「日」の字状に形成されている。この場合、第１挿入孔２１は、第１バンド１０と第２バンド１１とが重なり合って挿入する大きさに形成されている。また、第２挿入孔２２は、第１挿入孔２１を遊挿した第１バンド１０の右端部１０ａが更に挿入するものであり、第１挿入孔２１よりも小さく形成されている。
【００２８】
このような時計バンドＴでは、第２バンド１１が挿入した遊環２０の第１挿入孔２１に第１バンド１０の右端部１０ａを折り返して第２バンド１１と重ねて挿入し、この挿入した右端部１０ａを更に折り返して第２挿入孔２２に挿入させ、この挿入した右端部１０ａを更に折り返して遊環２０の上部側と第１バンド１０との間に配置することにより、第１バンド１０の右端部１０ａを第２バンド１１に取り付けることができる。このため、第１実施形態のような第２係止部材１４を用いなくても、第１バンド１０の右端部１０ａを第２バンド１１に取り付けることができるので、部品点数を削減することができる。
【００２９】
なお、上記第３〜第６実施形態では、すべて第１バンド１０の他端部（図３〜図６では各左端部）１０ｂを第２バンド１１に固定した場合について述べたが、これに限らず、例えば第２バンド１１の左側にも、各実施形態に応じた遊環１２、２０を設けて第１バンド１０の左端部１０ｂを第２バンド１１に着脱可能に取り付けるようにしても良い。このようにすれば、第２実施形態と同様、第１バンド１０の両端部１０ａ、１０ｂをそれぞれ各遊環１２、２０から引き出せば、第１バンド１０を第２バンド１１から完全に取り外すことができ、第１バンド１０と第２バンド１１とを交換することができるので、時計バンドＴとしての組み合わせが豊富になる。
【００３０】
また、上記第３〜第６実施形態では、すべて腕時計ケース４に対応する個所の第１バンド１０と第２バンド１１との対向面にその両者を互いに係脱可能に固定する第１係止部材１４を設けたが、これに限らず、第２実施形態と同様、第１バンド１０の対向面に雄型の面状ファスナ１５ａを設け、これに対向する第２バンド１１の対向面側のほぼ全域をパイル地１５ｂに形成してなる第１係止部材１５を用いても良い。この場合は、第２実施形態と同様、第２バンド１１のパイル地１５ｂに対する第１バンド１０の面状ファスナ１５ａの係合位置を調節することができるので、第１バンド１０における腕時計ケース４の取付位置を調節でき、最も適した位置に腕時計ケース４を取り付けることができる。
【００３１】
［第７実施形態］
次に、図８を参照して、この発明を時計バンドに適用した第７実施形態について説明する。この場合にも、図１に示された第１実施形態と同一部分には同一符号を付し、その説明は省略する。
この時計バンドＴは、第１バンド１０と第２バンド１１とを互いに係脱可能に係止する連結部材である第１係止部材２５と、第２バンド１１の右端部１０ａが折り返されて重なり合う部分の対向面を互いに係脱可能に係止する補助係止部材である第２係止部材２６とが異なる以外は第１実施形態と同じ構造になっている。すなわち、この時計バンドＴの第１係止部材２５は、第１実施形態と同様、一対の面状ファスナ２５ａ、２５ｂからなり、第１バンド１０と第２バンド１１との対向面に、腕時計ケース４と対応する個所からその左側に位置する遊環１２付近に亘って設けられている。
【００３２】
この場合、第１バンド１０の面状ファスナ２５ａは、腕時計ケース４と対応する個所からその左側に位置する遊環１２の近傍に亘って連続して設けられており、第２バンド１１の面状ファスナ２５ｂは、腕時計ケース４と対応する個所から遊環１２で折り返された第１バンド１０の右端部１０ａの先端と対応する個所に亘って連続して設けられている。
また、第２係止部材２６は、第１バンド１０が遊環１２で折り返されて重なり合う部分の対向面に設けられている。この第２係止部材２６は、遊環１２で折り返された第１バンド１０の対向面に設けられた一方の面状ファスナ２６ａと、この面状ファスナ２６ａに対向して設けられた他方の面状ファスナとからなっており、この他方の面状ファスナは、腕時計ケース４と対応する個所から遊環１２の近傍に亘って設けられた第１係止部材２５の面状ファスナ２５ａの左端部側で兼用した構成になっている。
【００３３】
このような時計バンドＴによれば、第１実施形態と同様の作用効果があるほか、特に第１係止部材２５が腕時計ケース４と対応する個所からその左側に位置する遊環１２付近に亘って設けられているので、第１実施形態のものよりも、第１係止部材２５の係合し合う面を広くすることができ、このため第１バンド１０と第２バンド１１とをより一層確実に取り付けることができるとともに、腕時計ケース４の一方のバンド取付部５を第１係止部材２５で挾み付けるので、腕時計ケース４を第１バンド１０の所定位置に固定することができ、また第１係止部材２５の第１バンド１０側の面状ファスナ２５ａが遊環１２の近傍まで延びているので、第２係止部材２６の他方の面状ファスナとして兼用することができ、第２係止部材２６を一方の面状ファスナ２６ａのみで構成することができる。
【００３４】
［第８実施形態］
次に、図９〜図１１を参照して、この発明を時計バンドに適用した第８実施形態について説明する。この場合にも、図１に示された第１実施形態と同一部分には同一符号を付し、その説明は省略する。
この時計バンドＴは、第１バンド１０と第２バンド１１とを取り付ける連結部材として、遊環１２以外に袋状部材２７を第１係止部材１３に代えて備えた構成になっており、これ以外は第１実施形態と同じ構成になっている。この袋状部材２７は、図９に示すように、腕時計ケース４に対応する個所における第１バンド１０と対向する第２バンド１１の対向面に設けられている。この袋状部材２７は、図１０に示すように、第２バンド１１の対向面（同図では上面）に縫合などにより取り付けられた敷材２７ａと、この敷材２７ａ上に取り付けられた袋材２７ｂとからなっている。
【００３５】
この場合、袋材２７ｂは、第２バンド１１の長手方向に沿う両側辺が縫合などにより取り付けられ、その長手方向の両端が開放され、その内部を図１１に示すように第１バンド１０が挿通するように構成されている。また、この袋材２７ｂは、第２バンド１１の長手方向の長さが敷材２７ａよりも短く形成され、これにより敷材２７ａの両端部が袋材２７ｂの両端よりも長く突出するように構成されている。なお、敷材２７ａおよび袋材２７ｂは、滑らかな布材などで構成されている。
【００３６】
このような時計バンドＴでは、腕時計ケース４から取り外す場合、まず、第１実施形態と同様、第１バンド１０の右端部１０ａにおける互いに重なり合う部分を引き離して、第２係止部材１４による係合を解除し、この係合が解除された第１バンド１０の右端部１０ａを遊環１２から引き出すことにより、第１バンド１０の右端部１０ａを第２バンド１１から取り外して自由状態にする。この後、自由状態の第１バンド１０の右端部１０ａを腕時計ケース４の右側のバンド取付部５の挿通孔６から袋状部材２７内を挿通させた上、更に腕時計ケース４の左側のバンド取付部５の挿通孔６から連続的に引き出すことにより、袋状部材２７による第１バンド１０の取り付けを簡単に解除でき、第１バンド１０から腕時計ケース４を簡単に取り外すことができる。
【００３７】
また、この時計バンドＴでは、腕時計ケース４を取り付ける場合、第１バンド１０の右端部１０ａを腕時計ケース４の左側のバンド取付部５の挿通孔６に挿入し、この第１バンド１０の右端部１０ａを第２バンド１１に設けられた袋状部材２７内に挿通させた上、更に第１バンド１０の右端部１０ａを腕時計ケース４の右側のバンド取付部５の各挿通孔６に挿入することにより、第１バンド１０を袋状部材２７により第２バンド１１に取り付けることができるとともに、腕時計ケースを第１バンド１０に取り付けることができる。この後、第１実施形態と同様、第１バンド１０の右端部１０ａを遊環１２で折り返して遊環１２を包むように遊環１２に挿入し、この折り返された部分を第１バンド１０と第２バンド１１との間に重ね合わせ、この状態で重ね合わされた部分を第２係止部材１４によって固定することにより、腕時計ケース４を時計バンドＴに簡単に取り付けることができる。
【００３８】
このように、この時計バンドＴによれば、遊環１２に遊挿された第１バンド１０の右端部１０ａを遊環１２から引き出すことにより、第１バンド１０の右端部１０ａを第２バンド１１から取り外すことができるとともに、遊環１２から取り外された第１バンド１０の右端部１０ａを腕時計ケース４の各バンド取付部５の挿通孔６および袋状部材２７から引き出すことにより、腕時計ケース４を第１バンド１０から簡単に取り外すことができ、また第１バンド１０の右端部１０ａを腕時計ケース４の各バンド取付部５の挿通孔６および袋状部材２７内を挿通させた上、その第１バンド１０の右端部１０ａを遊環１２で折り返して遊環１２を包むように遊環１２に挿入することにより、第１バンド１０の右端部１０ａを第２バンド１１に簡単に取り付けることができ、このため簡単かつ速やかに時計バンドＴを交換することができる。
【００３９】
この場合、袋状部材２７は、敷材２７ａと袋材２７ｂとが滑らかな布材で構成されているので、第１バンド１０の右端部１０ａに一対の面状ファスナからなる第２係止部材１４が設けられていても、敷材２７ａと袋材２７ｂとの間を滑らかに挿通させることができるとともに、敷材２７ａの両端が袋材２７ｂの両端よりも長き突出しているので、この敷材２７ａの突出した部分で第１バンド１０の右端部１０ａの先端をガイドして敷材２７ａと袋材２７ｂとの間に円滑に挿入させることができる。
【００４０】
なお、上記第８実施形態では、袋状部材２７の敷材２７ａの両端部を袋材２７ｂの両端部よりも突出させたが、これに限らず、例えば図１２に示すように、敷材２７ａの両端部を袋材２７ｂの両端部よりも突出させず、同じ位置に形成しても良く、また必ずしも敷材２７ａを設ける必要はなく、袋材２７ｂのみを直接第２バンド１１に取り付けた構成でも良い。
また、上記第８実施形態では、袋状部材２７を第２バンド１１に設けたが、これに限らず、例えば袋状部材２７を第１バンド１０の対向面に設けて、この袋状部材２７内に第２バンド１１が挿通するように構成しても良い。
さらに、上記第７および第８実施形態では、第１バンド１０の左端部１０ｂを第２バンド１１に縫合などにより固定したが、これに限らず、例えば図２に示す第２実施形態のように、第１バンド１０の両端部１０ａ、１０ｂを遊環１２によってそれぞれ第２バンド１１に取り付けるように構成しても良い。このようにすれば、第１バンド１０と第２バンド１１とを完全に取り外すことができるので、第１バンド１０と第２バンド１１との交換ができ、時計バンドＴとしての組み合わせが豊富になる。
【００４１】
［第９実施形態］
次に、図１３および図１４を参照して、この発明を時計バンドに適用した第９実施形態について説明する。この場合には、図２に示された第２実施形態と同一部分に同一符号を付し、その説明は省略する。
この時計バンドＴは、第１バンド１０と第２バンド１１とを取り付ける連結部材として、左右２つの遊環１２以外に袋状部材３０を第１係止部材１５に代えて備えた構成になっており、これ以外は第２実施形態と同じ構成になっている。この袋状部材３０は、図１３に示すように、腕時計ケース４に対応する個所における第１バンド１０と対向する第２バンド１１の対向面に設けられている。この袋状部材３０は、図１４（ａ）に示すように、第２バンド１１の幅よりも長い帯材３１を第２バンド１１の長手方向に対し直交する方向に配置し、この帯材３１の中間部分を第２バンド１１の対向面（同図では上面）に縫合などにより取り付け、図１４（ｂ）に示すように、帯材３１を環状に湾曲させた状態で、帯材３１の両端部が重なり合って対向する部分の対向面に互いに係脱可能に係止する一対の面状ファスナ３２ａ、３２ｂからなる係止部３２を設けた構成になっている。
【００４２】
このような時計バンドＴでは、第２実施形態と同様、第１バンド１０の左右の両端部１０ａ、１０ｂのうち、何れか一方の端部、例えば右端部１０ａを遊環１２から引き出せば、第１バンド１０の右端部１０ａを第２バンド１１から取り外すことができ、この状態で腕時計ケース４と対応する個所の第１バンド１０をたるませた上、袋状部材３０の係止部３２を引き離して帯材３１の重なり合った両端部の係止を解除すれば、袋状部材３０による第１バンド１０の取り付けが解除されるので、腕時計ケース４を第１バンド１０から簡単に取り外すことができる。
【００４３】
また、この時計バンドＴでは、腕時計ケース４を取り付ける際、第２バンド１１から取り外された第１バンド１０の一方の端部、例えば右端部１０ａを腕時計ケース４の左側のバンド取付部５の挿通孔６に挿入させた後、袋状部材３０の帯材３１上に重ね、この状態で帯材３１を環状に湾曲させて第１バンド１０の右端部１０ａ側を包み込んで、帯材３１の重なり合った両端部を係止部３２で係止し、この後、第１バンド１０の右端部１０ａを腕時計ケース４の右側のバンド取付部５の各挿通孔６に挿入することにより、第１バンド１０を袋状部材３０により第２バンド１１に取り付けることができるとともに、腕時計ケースを第１バンド１０に取り付けることができる。この後、第２実施形態と同様、第１バンド１０の右端部１０ａを遊環１２で折り返して遊環１２に挿入することにより、第１バンド１０の右端部１０ａを第２バンド１１に簡単に取り付けることができ、これにより簡単かつ速やかに時計バンドＴを交換することができる。
【００４４】
なお、上記第９実施形態では、袋状部材３０の帯材３１を第２バンド１１に縫合などにより取り付けたが、これに限らず、例えば帯材３１の中間部分に伸縮可能な布材を縫合などにより取り付け、この布材と帯材３１との間に第２バンド１１を挿通させるように構成しても良い。
【００４５】
［第１０実施形態］
次に、図１５を参照して、この発明を時計バンドに適用した第１０実施形態について説明する。この場合にも、図１に示された第１実施形態と同一部分には同一符号を付し、その説明は省略する。
この時計バンドＴは、第１バンド１０の一端部（図１５では右端部１０ａ）に尾錠３５が取り付けられ、他端部側（同図では左端部１０ｂ側）に尾錠３５の係止孔３６が長手方向に沿って等間隔で複数個設けられ、かつ第１バンド１０と第２バンド１１とを互いに係脱可能に係止する連結部材である第１係止部材３７と、第２バンド１１の両端部１１ａ、１１ｂを互いに係脱可能に係止する補助係止部材である第２係止部材３８とを備えた構成になっており、これら以外は第１実施形態とほぼ同じ構成になっている。
【００４６】
この場合、第１バンド１０は、尾錠３５が取り付けられた右端部１０ａが第２バンド１１に縫合などにより取り付けられ、係止孔３６が設けられた左端部１０ｂ側が腕時計ケース４の２つのバンド取付部５の各挿通孔６を挿通するように構成されている。
第１係止部材３７は、一対の面状ファスナ３７ａ、３７ｂからなり、一方の面状ファスナ３７ａが第１バンド１０に設けられ、他方の面状ファスナ３７ｂが第２バンド１１に設けられた構成になっている。この場合、第１バンド１０側の面状ファスナ３７ａは、腕時計ケース４と対応する第１バンド１０の個所に設けられ、第２バンド１１側の面状ファスナ３７ｂは、腕時計ケース４と対応する個所から第２バンド１１の左端部１１ｂに亘って長く設けられている。
また、第２係止部材３８は、第２バンド１１を腕に巻き付けるように湾曲させた際、その両端部１１ａ、１１ｂの重なり合う部分の対向面を互いに係脱可能に係止するものであり、第２バンド１１の右端部１１ａにおける下面に一方の面状ファスナ３８ａが設けられ、第２バンド１１の左端部１１ｂにおける上面に設けられる他方の面状ファスナが第１係止部材３７の面状ファスナ３７ｂの左端部側で兼用された構成になっている。
【００４７】
このような時計バンドＴでは、図１５に示すように、腕時計ケース４を取り付ける際、第１バンド１０の左端部１０ｂ側を腕時計ケース４の２つのバンド取付部５の各挿通孔６にその右側から順次挿通させて、腕時計ケース４を第１係止部材３７の第１バンド１０側の面状ファスナ３７ａに対応させ、この状態で第１係止部材３７の一対の面状ファスナ３７ａ、３７ｂを互いに係止させることにより、腕時計ケース４を第１バンド１０に簡単に取り付けることができる。また、時計バンドＴを交換する際には、第１係止部材３７の一対の面状ファスナ３７ａ、３７ｂを引き離した後、第１バンド１０の左端部１１ｂ側を腕時計ケース４の２つのバンド取付部５の各挿通孔６を通して引き出すことにより、腕時計ケース４を第１バンド１０から取り外すことができる。このため、簡単かつ速やかに時計バンドＴを交換することができる。
【００４８】
また、この時計バンドＴでは、腕に取り付ける場合、まず、第２バンド１１を腕に巻き付け、第１係止部材３７の面状ファスナ３７ｂの左端部の上に第２係止部材３８の一方の面状ファスナ３８ａを重ねて合わせて係止させることにより、第２バンド１１を腕に取り付け、この状態で第１バンド１０を第２バンド１１に沿って巻き付け、この第１バンド１０の右端部１０ａの尾錠３５で左端部１０ｂ側の係止孔３６に係止させることにより、時計バンドＴを腕に取り付けることができる。この場合、第２係止部材３８の他方の面状ファスナとして、第１係止部材３７の面状ファスナ３７ｂを兼用し、この面状ファスナ３７ｂが腕時計ケース４と対応する個所から第２バンド１１の左端部１１ｂに亘って長く設けられているので、腕の太さに応じて各面状ファスナ３８ａ、３７ｂの係合位置を調節でき、このため第２バンド１１を腕に良好に密接させることができる。なお、この時計バンドＴを腕から取り外す場合には、尾錠３５による係止孔３６の係止を解除してから、第２係止部材３８を引き離すことにより、第１、第２バンド１０、１１を腕から取り外することができる。
【００４９】
［第１１実施形態］
次に、図１６〜図１９を参照して、この発明を時計バンドに適用した第１１実施形態について説明する。この場合には、図１５に示された第１０実施形態と同一部分に同一符号を付し、その説明は省略する。
この時計バンドＴは、第１バンド１０と第２バンド１１とを取り付ける連結部材として、袋状部材４０を備え、第２バンド１１に第２係止部材４１を設けた構成になっており、これら以外は第１０実施形態とほぼ同じ構成になっている。
袋状部材４０は、腕時計ケース４に対応する個所における第１バンド１０と対向する第２バンド１１の対向面に設けられている。この袋状部材４０は、図１９に示すように、第２バンド１１の対向面（同図では上面）に縫合などにより取り付けられた敷材４０ａと、この敷材４０ａ上に取り付けられた袋材４０ｂとからなっている。この袋材４０ｂは、第２バンド１１の長手方向に沿う両側辺が縫合などにより取り付けられ、その長手方向の両端が開放され、その内部を図１６に示すように第１バンド１０が挿通するように構成されている。なお、敷材４０ａおよび袋材４０ｂは、滑らかな布材などで構成されている。
【００５０】
また、第２係止部材４１は、第２バンド１１を腕に巻き付けるように湾曲させた際、その両端部１１ａ、１１ｂの重なり合う部分の対向面を互いに係脱可能に係止するものであり、図１６に示すように、第２バンド１１の右端部１１ａにおける下面に一方の面状ファスナ４１ａが設けられ、第２バンド１１の左端部１１ｂにおける上面に他方の面状ファスナ４１ｂが設けられている。この場合、他方の面状ファスナ４１ｂは、腕の太さに応じて巻き付け長さを調整するために、第２バンド１１の左端部１１ｂから袋状部材４０に向けて長く形成されている。
【００５１】
なお、第１バンド１０には、その左端部１０ｂを係止するための遊環部材４２が尾錠３５の近傍に移動可能に装着されている。この遊環部材４２は、図１４に示す第９実施形態の袋状部材３０とほぼ同様、第１バンド１０の幅よりも長い帯材を第１バンド１０の長手方向に対し直交する方向に配置し、この帯材の中間部に第１バンド１０を挿通させるための布材を取り付け、この帯材を環状に湾曲させた状態で帯材の両端部が重なり合って対向する部分の対向面に互いに係脱可能に係止する一対の面状ファスナからなる係止部を設けた構成になっている。また、第１バンド１０における袋状部材４０に挿着する個所付近には、複数のスリット孔４３が設けられている。
【００５２】
このような時計バンドＴでは、図１６に示すように、腕時計ケース４を取り付ける際、第１バンド１０の左端部１０ｂ側を腕時計ケース４の右側のバンド取付部５の挿通孔６から第２バンド１１の袋状部材４０内に挿通させた上、腕時計ケース４の左側のバンド取付部５の挿通孔６に連続的に挿入させることにより、第１バンド１０を第２バンド１１に取り付けることができるとともに、腕時計ケース４を第１バンド１０に簡単に取り付けることができる。また、時計バンドＴを交換する際には、第１バンド１０の左端部１０ｂ側を腕時計ケース４の左側のバンド取付部５の挿通孔６から袋状部材４０内を挿通させた上、腕時計ケース４の右側のバンド取付部５の挿通孔６から連続的に引き出すことにより、第２バンド１１から第１バンド１０を取り外すことができるとともに、腕時計ケース４を第１バンド１０から取り外すことができる。このため、簡単かつ速やかに時計バンドＴを交換することができるとともに、第１バンド１０と第２バンド１１とを完全に取り外すことができるので、第１バンド１０と第２バンド１１との交換ができ、時計バンドＴとしての組み合わせが豊富になる。
【００５３】
また、この時計バンドＴでは、腕に取り付ける場合、まず、第２バンド１１を腕に巻き付け、第２係止部材４１の他方の面状ファスナ４１ｂ上に一方の面状ファスナ４１ａを重ねて合わせて係止させることにより、第２バンド１１を腕に取り付け、この状態で第１バンド１０を第２バンド１１に沿って巻き付け、第１バンド１０の右端部１０ａの尾錠３５で左端部１０ｂ側の係止孔３６に係止させることにより、時計バンドＴを腕に取り付けることができる。この場合、第２係止部材４１の他方の面状ファスナ４１ｂが第２バンド１１の左端部１１ｂ側から袋状部材４０に向けて長く形成されているので、腕の太さに応じて各面状ファスナ４１ａ、４１ｂの係合位置を調節でき、このため第２バンド１１を腕に良好に密接させることができる。
【００５４】
さらに、この時計バンドＴでは、尾錠３５で第１バンド１０の係止孔３６を係止させることにより第１バンド１０の両端部１０ａ、１０ｂを取り付けた際、その第１バンド１０の係止孔３６側の左端部１０ｂを遊環部材４２に差し込んで係止させることができる。このとき、第１バンド１０の左端部１０ｂを遊環部材４２に差し込みにくいときには、遊環部材４２の係止部を引き離して帯材を一旦広げ、この状態で第１バンド１０の左端部１０ｂを帯材上に配置し、この帯材を環状に湾曲させて第１バンド１０の左端部１０ｂを包み込んで係止部で係止することにより、第１バンド１０の左端部１０ｂを確実に係止することができる。なお、この時計バンドＴを腕から取り外す場合には、尾錠３５による係止孔３６の係止を解除してから、第２係止部材３８を引き離すことにより、第１、第２バンド１０、１１を腕から取り外することができる。
【００５５】
なお、上記第１１実施形態では、袋状部材４０を敷材４０ａと袋材４０ｂとで構成したが、必ずしも敷材４０ａを設ける必要はなく、袋材４０ｂのみを直接第２バンド１１に取り付けるように構成しても良い。
【００５６】
［第１２実施形態］
次に、図２０および図２１を参照して、この発明を時計バンドに適用した第１２実施形態について説明する。この場合には、図１６に示された第１１実施形態と同一部分に同一符号を付し、その説明は省略する。
この時計バンドＴは、袋状部材４５および第２係止部材４６が異なる以外は第１１実施形態とほぼ同様に構成されている。この袋状部材４５は、図２０および図２１に示すように、第１バンド１０と第２バンド１１とが互いに重なり合った状態で挿通する袋状に形成されている。第２係止部材４６は、第２バンド１１の右端部１１ａ側における上面に一方の面状ファスナ４６ａが設けられ、第２バンド１１の左端部１１ｂ側おける下面に他方の面状ファスナ４６ｂが設けられた構成になっている。この場合、右側に位置する面状ファスナ４６ａが左側に位置する面状ファスナ４６ｂよりも長く形成されている。
【００５７】
このような時計バンドＴでは、腕時計ケース４を取り付ける際、まず、第２バンド１１を袋状部材４５に挿通させて、第２バンド１１のほぼ中間部分に袋状部材４５を配置し、この状態で第１１実施形態と同様、第１バンド１０の左端部１０ｂ側を腕時計ケース４の右側のバンド取付部５の挿通孔６から第２バンド１１の中間部分に配置された袋状部材４５内に挿通させた上、腕時計ケース４の左側のバンド取付部５の挿通孔６に挿入させることにより、第１バンド１０を第２バンド１１に取り付けることができるとともに、腕時計ケース４を第１バンド１０に簡単に取り付けることができる。
【００５８】
また、時計バンドＴを交換する際には、第１バンド１０の左端部１０ｂ側を腕時計ケース４の左側のバンド取付部５の挿通孔６から袋状部材４５内を挿通させた上、腕時計ケース４の右側のバンド取付部５の挿通孔６から連続的に引き出すことにより、第２バンド１１から第１バンド１０を取り外すことができるとともに、腕時計ケース４を第１バンド１０から取り外すことができる。このため、簡単かつ速やかに時計バンドＴを交換することができるほか、袋状部材４５の構造が第１１実施形態のものよりも簡単であるから、安価なものを得ることができる。
また、この時計バンドＴでは、第２バンド１１の右側に位置する面状ファスナ４６ａがその左側に位置する面状ファスナ４６ｂよりも長く形成されているので、腕の太さに応じて各面状ファスナ４６ａ、４６ｂの係止位置を調節でき、このため第２バンド１１を腕に良好に密接させることができる。
【００５９】
なお、上記第１２実施形態では、第２バンド１１を袋状部材４５に挿通させてから、この袋状部材４５に第１バンド１０を挿通させる場合について述べたが、これに限らず、第１バンド１０を腕時計ケースの２つのバンド取付部５の各挿通孔６に挿通させるときに、第１バンド１０を袋状部材４５に挿通させて、この袋状部材４５を第１バンド１０に取り付け、この状態で第２バンド１１を袋状部材４５に挿通させるようにしても良い。
【００６０】
［第１３実施形態］
次に、図２２および図２３を参照して、この発明を時計バンドに適用した第１３実施形態について説明する。この場合には、図２０に示された第１２実施形態と同一部分に同一符号を付し、その説明は省略する。
この時計バンドＴは、袋状部材４７が異なる以外は第１２実施形態と同じ構成になっている。この袋状部材４７は、腕時計ケース４の左右両側のバンド取付部５をそれぞれ包み込むための一対の袋部４７ａ、４７ｂを第２バンド１１に縫合などにより取り付けられた構成になっている。すなわち、右側の袋部４７ａは、図２３（ａ）に示すように、腕時計ケース４の右側のバンド取付部５にその下側から挿入してバンド取付部５の挿通孔６が露出するように構成されており、また左側の袋部４７ｂは、腕時計ケース４の左側のバンド取付部５にその下側から挿入してバンド取付部５の挿通孔６が露出するように構成されている。
【００６１】
このような時計バンドＴでは、図２２に示すように、腕時計ケース４を取り付ける際、第２バンド１１に設けられた袋状部材４７の各袋部４７ａ、４７ｂを腕時計ケース４の各バンド取付部５にそれぞれ装着させることにより、第２バンド１１に腕時計ケース４を取り付けることができるとともに、図２３（ａ）に示すようにバンド取付部５の挿通孔６を露出させ、この状態で第１バンド１０の左端部１０ｂ側を腕時計ケース４の右側のバンド取付部５の挿通孔６から腕時計ケース４と第２バンド１１との間を通して左側のバンド取付部５の挿通孔６に挿通させることにより、第１バンド１０を第２バンド１１に対して取り付けることができるとともに、腕時計ケース４を第１、第２バンド１０、１１に対して簡単に取り付けることができる。
【００６２】
また、時計バンドＴを交換する際には、第１バンド１０の左端部１０ｂ側を腕時計ケース４の左側のバンド取付部５の挿通孔６から腕時計ケース４と第２バンド１１との間を通して右側のバンド取付部５の挿通孔６から連続的に引き出すことにより、第１バンド１０を取り外すことができ、この後、袋状部材４７の各袋部４７ａ、４７ｂを腕時計ケース４の各バンド取付部５から取り外すことにより腕時計ケース４を取り外すことができる。このため、簡単かつ速やかに時計バンドＴを交換することができる。
【００６３】
なお、上記第１〜第１３実施形態では、腕時計の本体を構成している腕時計ケース４が取り付けられる時計バンドＴについて述べたが、これに限られない。
例えば、腕時計のほかに、リスト部品として、アクセサリ、万歩計、方位計、水深計などの他のリスト部品が取り付けられるバンドとしても広く適用することができる。
また、上記第１〜第１３実施形態では、バンドの各端部に尾錠を取り付けているが、これに限らず、連結用のバックルなどで、バンド間を連結するようにしても良い。
このように、この実施形態のバンドは、図１〜図２３に示すように、第１バンド１０と、この第１バンドに重なり合って配置された第２バンド１１と、この第２バンドと前記第１バンドとを互いに連結するために、当該第１および第２の各バンドのうちの少なくとも一方に取り付けられた連結部材１２；１３；２７と、を備えている。
ここで、前記連結部材は、図１〜図６、図８〜図９、図１３に示すように、前記第２バンド側にその長手方向に移動可能に取り付けられた遊環１２である。
または、前記連結部材は、図９〜図１２に示すように、前記第２バンド側に設けられた袋状部材２７である。なお、図９〜図１２に示すように、前記袋状部材２７の内部に、前記第１バンドおよび前記第２バンドのうちの少なくとも一方が着脱可能に取り付けられる。
または、前記連結部材は、図１〜図６、図８〜図９、図１３に示すように、前記第１バンドと前記第２バンドとを互いに係脱可能に係合するために、前記第１バンドと前記第２バンドとの対向面にそれぞれ設けられた係止部材１３である。または、前記連結部材は、図９に示すように、二つの部材からなっており、この二つの部材のうちの一方の部材は、前記遊環１２であり、他方の部材は、前記袋状部材２７である。
または、前記連結部材は、図１３に示すように、二つの部材からなっており、この二つの部材のうちの一方の部材は、前記遊環１２であり、他方の部材は、前記係止部材１３である。
前記第１バンドの一端部（１０ａ）は、図１〜図６、図８〜図９に示すように、前記連結部材を介して、前記第２バンドに着脱可能に取り付けられており、前記第１バンドの他端部（１０ｂ）は、前記第２バンドに固定されている。
前記連結部材は、図１３に示すように、第１および第２の各連結部材１２、１２からなり、前記第１バンドの両端部１０ａ、１０ｂは、前記第１および第２の各連結部材を介して、前記第２バンドに着脱可能に取り付けられる。
前記第２バンドの端部１０ａは、図６に示すように、前記遊環２０内に挿入された後に折り返され、この折り返された端部が前記遊環に再度挿入されてこの遊環に仮固定される。
前記遊環２０は、図６に示すように、前記第１バンド１０と前記第２バンド１１とが重なり合って挿入される第１挿入孔２１と、この第１挿入孔に挿入された前記第１バンドの端部が更に挿入される第２挿入孔２２とを備えている。
前記第１バンドの端部（１０ａ）には、図１〜図６、図８〜図９、図１３に示すように、前記連結部材に対し係脱可能に係合される第１バンド用の補助係止部材１４を有する。
図１５、図１６に示すように、前記第２バンドが環状に湾曲された際に、その第２バンドの各端部１１ａ、１１ｂを互いに係脱可能に係合する第２バンド用の補助係止部材３８、４１を有する。
前記係止部材は、図１〜図６、図８〜図９、図１３、図１５に示すように、面状ファスナ１３；１５；２５；３７である。
図１５に示すように、前記面状ファスナは、前記第２バンドの中間部から、それの一端部に亘って設けられている。
図１〜図６、図８〜図９、図１３に示すように、前記第１バンドは、伸縮性部材からなり、前記第２バンドは、非伸縮性部材からなる。
前記第１バンドには、図１〜図６、図８〜図９、図１３、図１５、図１６、図２０、図２２に示すように、リスト部品（４）が着脱可能に取り付けられる。
図１〜図６、図８〜図９、図１３、図１５、図１６、図２０、図２２に示すように、前記リスト部品は、腕時計４であり、この腕時計に設けられたバンド取付部５、５を介して、前記腕時計が前記第１バンドに着脱可能に取り付けられている。
【００６４】
【発明の効果】
以上説明したように、この発明によれば、連結部材により互いに連結されている第１バンドと第２バンドとの取り付けを解除すると、互いに重なり合った状態の第１バンドと第２バンドとを切り離すことができ、これにより、例えば第１バンドに取り付けられた腕時計などのリスト部品を、第１バンドまたは第２バンドから容易かつ迅速に取り外すことができ、また、逆に、第１バンドまたは第２バンドに対し腕時計などのリスト部品を容易かつ迅速に取り付けることが可能になり、このため、簡単かつ速やかにバンドの交換を行うことができる。
【図面の簡単な説明】
【図１】この発明の時計バンドの第１実施形態を示した断面図。
【図２】この発明の時計バンドの第２実施形態を示した断面図。
【図３】この発明の時計バンドの第３実施形態を示した断面図。
【図４】この発明の時計バンドの第４実施形態を示した断面図。
【図５】この発明の時計バンドの第５実施形態を示した断面図。
【図６】この発明の時計バンドの第６実施形態を示した断面図。
【図７】図６の遊環の拡大正面図。
【図８】この発明の時計バンドの第７実施形態を示した断面図。
【図９】この発明の時計バンドの第８実施形態を示した断面図。
【図１０】図９の袋状部材の拡大斜視図。
【図１１】図９のＡ−Ａ拡大断面図。
【図１２】第８実施形態の袋状部材の変形例を示した斜視図。
【図１３】この発明の時計バンドの第９実施形態を示した断面図。
【図１４】図１３の袋状部材を示し、（ａ）はその袋状部材を展開した状態の斜視図、（ｂ）は袋状部材を環状に湾曲させた状態を示した斜視図。
【図１５】この発明の時計バンドの第１０実施形態を示した側面図。
【図１６】この発明の時計バンドの第１１実施形態を示した側面図。
【図１７】図１６の時計バンドの平面図。
【図１８】図１６の時計バンドの底面図。
【図１９】図１７のＢ−Ｂ拡大断面図。
【図２０】この発明の時計バンドの第１２実施形態を示した側面図。
【図２１】図２０の袋状部材の拡大断面図。
【図２２】この発明の時計バンドの第１３実施形態を示した側面図。
【図２３】図２２の要部の断面を示し、（ａ）は図２２における右側の袋部の拡大断面図、（ｂ）は（ａ）のＣ−Ｃ拡大断面図。
【図２４】従来の時計バンドを示した断面図。
【符号の説明】
4  腕時計ケース
5  バンド取付部
10  第１バンド
10ａ  第１バンドの右端部
10ｂ  第１バンドの左端部
11  第２バンド
11ａ  第２バンドの右端部
11ｂ  第２バンドの左端部
12、17、20  遊環
13、15、25、37  第１係止部材
14、16、26、38、41、46  第２係止部材
15ａ  雄型の面状ファスナ
15ｂ  パイル地
21  第１挿入孔
22  第２挿入孔
25a、25b、26a、26b、37a、37b、38a、38b、41a、41b、46a、46b  面状ファスナ
27、30、40、45、47  袋状部材
31  帯材
【図１】
0003931428.tif 000002
【図２】
0003931428.tif 000003
【図３】
0003931428.tif 000004
【図４】
0003931428.tif 000005
【図５】
0003931428.tif 000006
【図６】
0003931428.tif 000007
【図７】
0003931428.tif 000008
【図８】
0003931428.tif 000009
【図９】
0003931428.tif 000010
【図１０】
0003931428.tif 000011
【図１１】
0003931428.tif 000012
【図１２】
0003931428.tif 000013
【図１３】
0003931428.tif 000014
【図１４】
0003931428.tif 000015
【図１５】
0003931428.tif 000016
【図１６】
0003931428.tif 000017
【図１７】
0003931428.tif 000018
【図１８】
0003931428.tif 000019
【図１９】
0003931428.tif 000020
【図２１】
0003931428.tif 000021
【図２０】
0003931428.tif 000022
【図２２】
0003931428.tif 000023
【図２３】
0003931428.tif 000024
【図２４】
0003931428.tif 000025